(57)【要約】【課題】結紮時の摩擦抵抗を大幅に小さくすることができる歯科矯正用ブラケットを提供すること。【解決手段】ブラケット１１は、ワイヤによる結紮が行われる結紮面２１ａを有するブラケット本体２１を有する。ブラケット本体２１の結紮面２１ａには、複数の歯に渡される第１ワイヤであるアーチワイヤ２５を挿通させるスロット部２２が設けられている。結紮面２１ａにおいては、スロット部２２の長手方向に対して略直交する方向にスロット部２２から延在したウィング部２３が設けられている。このウィング部２３には、アーチワイヤ２５を結紮する際に使用する第２ワイヤであるリガチャーワイヤ２６が引っ掛けられる。また、ウィング部２３には、スロット部２２の上方を渡すようにリガチャーワイヤ２６をガイドするガイド部２４が形成されている。【選択図】図２
2006314456.tif 000002
【特許請求の範囲】
【請求項１】
ワイヤによる結紮が行われる結紮面を有するブラケット本体と、前記ブラケット本体の前記結紮面に設けられ、複数の歯に渡される第１ワイヤを挿通させるスロット部と、前記スロット部の長手方向に対して略直交する方向に前記スロット部から延在し、前記スロット部に挿通された前記第１ワイヤを結紮する際に使用する第２ワイヤを引っ掛けるための複数のウィング部と、前記スロット部の上方を渡すように前記第２ワイヤをガイドするガイド部と、を具備することを特徴とする歯科矯正用ブラケット。
【請求項２】
前記ガイド部が前記ウィング部に設けられていることを特徴とする請求項１記載の歯科矯正用ブラケット。
【請求項３】
前記ガイド部によりガイドされた前記第２ワイヤが前記第１ワイヤと接触しないことを特徴とする請求項１又は請求項２記載の歯科矯正用ブラケット。
【請求項４】
前記ガイド部が金属素材からなることを特徴とする請求項１乃至請求項３記載の歯科矯正用ブラケット。
【発明の詳細な説明】
【技術分野】
【０００１】
本発明は、歯科矯正用ブラケットに関する。
【背景技術】
【０００２】
従来から、本来の位置から逸脱又はねじれて生えて咬み合いや審美性に障害をきたしている歯を本来の正しい位置に移動して咬み合いを再構築させる治療として歯科矯正治療が行われている。この矯正治療においては、図８及び図９に示すようなブラケット１をそれぞれの歯Ｔの表面に取り付け、ブラケット１の溝であるスロット１ａ内に金属製のアーチワイヤ２を挿通し、ブラケット１のウィング１ｂ（ここでは４つ）に金属製のリガチャーワイヤ３を引っ掛けると共にアーチワイヤ２を押え付ける（結紮）。これにより、アーチワイヤ２を固定する力によりブラケット１が取り付けられた歯Ｔが本来の位置に移動して歯Ｔが矯正されることになる。
【発明の開示】
【発明が解決しようとする課題】
【０００３】
上記歯科矯正においては、ブラケット１のスロット１ａ内にアーチワイヤ２を挿通させ、アーチワイヤ２をスロット１ａ内で滑らせながら歯Ｔを移動させるので、結紮時のスロット１ａとアーチワイヤ２との間の摩擦が問題となる。従来から、スロット１ａ及びアーチワイヤ２の素材を摩擦抵抗の少ない素材にする開発がなされているが、スロット１ａとアーチワイヤ２との間の摩擦抵抗を十分に小さくできていないのが現状である。
【０００４】
本発明はかかる点に鑑みてなされたものであり、結紮時の摩擦抵抗を大幅に小さくすることができる歯科矯正用ブラケットを提供することを目的とする。
【課題を解決するための手段】
【０００５】
本発明の歯科矯正用ブラケットは、ワイヤによる結紮が行われる結紮面を有するブラケット本体と、前記ブラケット本体の前記結紮面に設けられ、複数の歯に渡される第１ワイヤを挿通させるスロット部と、前記スロット部の長手方向に対して略直交する方向に前記スロット部から延在し、前記スロット部に挿通された前記第１ワイヤを結紮する際に使用する第２ワイヤを引っ掛けるための複数のウィング部と、前記スロット部の上方を渡すように前記第２ワイヤをガイドするガイド部と、を具備することを特徴とする。
【０００６】
この構成によれば、ブラケット本体に第２ワイヤをガイドするガイド部を設けているので、結紮時に第２ワイヤをスロット部の上方を渡すことができる。これにより、第２ワイヤが第１ワイヤを押し付けることを防止することができる。その結果、結紮時の摩擦抵抗を大幅に小さくすることができる。
【０００７】
本発明の歯科矯正用ブラケットにおいては、前記ガイド部が前記ウィング部に設けられていることが好ましい。また、本発明の歯科矯正用ブラケットにおいては、前記ガイド部によりガイドされた前記第２ワイヤが前記第１ワイヤと接触しないことが好ましい。本発明の歯科用ブラケットでは、前記ガイド部に金属素材を使用することもできる。
【発明の効果】
【０００８】
本発明によれば、ワイヤによる結紮が行われる結紮面を有するブラケット本体と、前記ブラケット本体の前記結紮面に設けられ、複数の歯に渡される第１ワイヤを挿通させるスロット部と、前記スロット部の長手方向に対して略直交する方向に前記スロット部から延在し、前記スロット部に挿通された前記第１ワイヤを結紮する際に使用する第２ワイヤを引っ掛けるための複数のウィング部と、前記スロット部の上方を渡すように前記第２ワイヤをガイドするガイド部と、を具備するので、第２ワイヤが第１ワイヤを押し付けることを防止することができ、結紮時の摩擦抵抗を大幅に小さくする歯科矯正用ブラケットを提供することができる。
【発明を実施するための最良の形態】
【０００９】
本発明者は、結紮時のスロットとアーチワイヤとの間の摩擦がブラケットにおけるスロットの構造に大きく起因していることに着目し、結紮時にリガチャーワイヤがアーチワイヤを押し付けないようにすることで結紮時のスロットとアーチワイヤとの間の摩擦抵抗を大幅に低減できることを見出し本発明をするに至った。
【００１０】
すなわち、本発明の技術的思想は、ブラケット本体に第２ワイヤであるリガチャーワイヤをガイドするガイド部を設けて、結紮時に第２ワイヤをスロット部の上方を渡すことにより、第２ワイヤが第１ワイヤであるアーチワイヤを押し付けることを防止し、その結果、結紮時の摩擦抵抗を大幅に小さくすることである。
【００１１】
以下、本発明の実施の形態について、添付図面を参照して詳細に説明する。
図１は、本発明の実施の形態に係る歯科矯正用ブラケットを用いて歯科矯正を行っている状態を示す正面図である。図１において、それぞれの歯Ｔの表面には、ブラケット１１が取り付けられている。歯Ｔにブラケット１１を取り付ける方法としては、ブラケット１１の裏面（結紮面と反対側の面）に接着剤などを塗布し、その面を歯Ｔの表面に当接させる方法などが挙げられる。それぞれのブラケット１１には第１ワイヤであるアーチワイヤ１２が渡されている。このアーチワイヤ１２は、奥歯の表面に取り付けられた留め金１３により、その両端が留められている。
【００１２】
図２は、本発明の実施の形態に係る歯科矯正用ブラケットを示す斜視図である。図２に示すブラケット１１は、ワイヤによる結紮が行われる結紮面２１ａを有するブラケット本体２１を有する。結紮面２１ａの裏面は上述したように歯Ｔに取り付けられる取り付け面を構成する。ブラケット本体２１の結紮面２１ａには、複数の歯に渡される第１ワイヤであるアーチワイヤ２５を挿通させるスロット部２２が設けられている。図２に示す構成においては、スロット部２２は、アーチワイヤ２５の軸方向に沿って形成された溝で構成されている。結紮面２１ａにおいては、スロット部２２の長手方向に対して略直交する方向にスロット部２２から延在したウィング部２３が設けられている。このウィング部２３は、複数（ここでは４つ）設けられている。すなわち、スロット部２２の奥側に２つ、手前側に２つ設けられている。このウィング部２３には、アーチワイヤ２５を結紮する際に使用する第２ワイヤであるリガチャーワイヤ２６が引っ掛けられる。また、ウィング部２３には、スロット部２２の上方を渡すようにリガチャーワイヤ２６をガイドするガイド部２４が形成されている。ここでは、ガイド部２４は、ウィング部２３に設けられた切り欠き部で構成されている。したがって、アーチワイヤ２５を結紮する際には、リガチャーワイヤ２６をそれぞれのウィング部２３の下側（歯に近い側）を通して突出したウィング部２３に引っ掛けると共に、リガチャーワイヤ２６をガイド部２４に沿ってスロット部２２の上方に渡す。
【００１３】
上記構成を有する歯科矯正用ブラケット１１は、まず、図３（ａ）に示すように、それぞれの歯Ｔの表面に取り付けられる。次いで、図３（ｂ）に示すように、ブラケット１１のスロット部２２にアーチワイヤ２５を挿通させて装着する。次いで、図４（ａ）に示すブラケット１１の４隅のウィング部２３に、図４（ｂ）に示すように、リガチャーワイヤ２６を引っ掛ける。このとき、図４（ｃ）に示すように、ウィング部２３における庇状に延在する部分２３ａよりも歯Ｔに近い領域にリガチャーワイヤ２６を巻き付けて、リガチャーワイヤ２６をブラケット１１に固定する。なお、リガチャーワイヤ２６をブラケット１１に固定する方法としては、上記の方法は例示であり、他の方法で固定しても良い。
【００１４】
このように、本発明に係る歯科矯正用ブラケットを用いて結紮を行うと、図５に示すような状態となる。すなわち、リガチャーワイヤ２６がアーチワイヤ２５と交差する部分においては、リガチャーワイヤ２６がウィング部２３のガイド部２４に沿ってスロット部２２の上方に渡される。したがって、図９に示す状態とは異なり、リガチャーワイヤ２６とアーチワイヤ２５とが接触しない状態となる。その結果、アーチワイヤ２５は、リガチャーワイヤ２６による結紮により影響を受けない、すなわちリガチャーワイヤ２６による結紮の際に生じる力を受けない。そのため、リガチャーワイヤ２６がアーチワイヤ２５を押し付けることがなく、結紮時の摩擦抵抗を大幅に小さくすることができる。
【００１５】
本発明に係る歯科矯正用ブラケットには、図２に示す構成だけでなく、種々の変形例が考えられる。例えば、図６に示すように、アーチワイヤ２５を挿通させるスロット部２２’をアーチワイヤ２５の長手方向に沿ってブラケット１１から延在するように設けても良い。この場合においては、ブラケット１１の外側に延在したスロット部２２’の領域がガイド部を兼ねている。すなわち、リガチャーワイヤ２６がブラケット１１の外側に延在したスロット部２２’の領域に沿って巻き付けられる。また、図２に示す構成においては、ウィング部２３のそれぞれにガイド部２４が設けられているが、図７に示すように、より数の少ないウィング部２３’を設け（図７では２つ）、そのウィング部２３’に複数のガイド部２４（図７ではそれぞれ２つ）を設けても良い。さらに、ウィング部２３の側方に、リガチャーワイヤ２６を乗り上げさせるための台部を設けても良い。これらのような構成を用いても、リガチャーワイヤ２６とアーチワイヤ２５とが接触せず、リガチャーワイヤ２６がアーチワイヤ２５を押し付けることがなく、結紮時の摩擦抵抗を大幅に小さくすることができる。
【００１６】
さらに、本発明に係る歯科矯正用ブラケットには、図８に示すような変形例も考えられる。すなわち、ブラケット１１に、例えば、ステンレススティール等の金属棒体を挿通し、その両側に突起させて、金属素材からなるリガチャーワイヤ２６のガイド部２４を形成する。この場合には、リガチャーワイヤ２６が巻きつけられて、押し付けられても、ガイド部２４には十分な強度があり、本発明に係る歯科矯正用ブラケットの耐久性を向上させることができる。
【００１７】
本発明は上記実施の形態に限定されず、種々変更して実施することが可能である。また、上記実施の形態における構造、材料などについては、例示であり、本発明の目的の範囲を逸脱しない限りにおいて適宜変更して実施することが可能である。
【図面の簡単な説明】
【００１８】
【図１】本発明の実施の形態に係る歯科矯正用ブラケットを用いて歯科矯正を行っている状態を示す正面図である。
【図２】本発明の実施の形態に係る歯科矯正用ブラケットを示す斜視図である。
【図３】（ａ），（ｂ）は、本発明の実施の形態に係る歯科矯正用ブラケットを用いて結紮を行う場合を説明するための図である。
【図４】（ａ）〜（ｃ）は、本発明の実施の形態に係る歯科矯正用ブラケットを用いて結紮を行う場合を説明するための図である。
【図５】本発明の実施の形態に係る歯科矯正用ブラケットを用いて結紮を行った後の状態を示す図である。
【図６】本発明の実施の形態に係る歯科矯正用ブラケットの他の例を示す斜視図である。
【図７】本発明の実施の形態に係る歯科矯正用ブラケットの他の例を示す斜視図である。
【図８】本発明の実施の形態に係る歯科矯正用ブラケットのガイド部に金属素材を用いた例を示す斜視図である。
【図９】従来の歯科矯正用ブラケットを用いて歯科矯正を行っている状態を示す正面図である。
【図１０】従来の歯科矯正用ブラケットを用いて歯科矯正を行っている状態を示す側面図である。
【符号の説明】
【００１９】
１１  ブラケット
１２，２５  アーチワイヤ
１３  留め金
２１  ブラケット本体
２１ａ  結紮面
２２，２２’  スロット部
２３，２３’  ウィング部
２４  ガイド部
２６  リガチャーワイヤ
【図１】
2006314456.tif 000003
【図２】
2006314456.tif 000004
【図３】
2006314456.tif 000005
【図４】
2006314456.tif 000006
【図５】
2006314456.tif 000007
【図６】
2006314456.tif 000008
【図７】
2006314456.tif 000009
【図８】
2006314456.tif 000010
【図９】
2006314456.tif 000011
【図１０】
2006314456.tif 000012